(57)【要約】【課題】強い風や吊線の揺れ等に対して取付け位置が動くことなく確実な取付け状態が保たれると共に光ファイバ等のケーブルの配線作業を容易とする。【解決手段】光ファイバ等のケーブル３が支持される一対のケーブル保持部５と、吊線７に取付けるための一対の吊線支持部９と、ケーブル保持部５によって支持された光ファイバ等のケーブル３が挿入開放口１３から外へ飛び出すのを阻止するストッパ部１１とからなり、前記吊線支持部９を、その支持部前側９ａが支持部後側９ｂと垂直軸線ａ方向に沿って重なり合う位置から所定角度θ外側へ開いた形状とし、取付け完了時に吊線支持部９に強い捩りばね圧が得られるようにする。【選択図】図１
2006333613.tif 000002
【特許請求の範囲】
【請求項１】
上方が挿入開放口になると共に側方からみて上向きＵ字状に形成された一対のケーブル保持部と、Ｕ字状に形成された一方となるケーブル保持部の正面側は一体に連続し合う上向きの自由端に形成され、他方となる背面側は側方からみて正面側へ円弧状に屈曲された下向きＵ字状の一対の吊線支持部と、その吊線支持部からさらに延長され側方からみて前記挿入開放口を横切るよう下降傾斜し、ケーブルもしくは吊線が上方から下方へは前記挿入開放口への通過を可能とし、下方から上方へは前記挿入開放口の通過が阻止される自由端に形成された一対のストッパ部とを有し、前記吊線支持部は、下向きＵ字状に形成された支持部前側が正面からみた時に支持部後側と垂直軸線方向に沿って重なり合う位置から所定角度外側へ開いた形状となっていることを特徴とするケーブルハンガ。
【請求項２】
前記吊線支持部の支持部前面が支持部後側の垂直軸線に沿って重なり合う位置から所定角度外側へ開く角度は４０°〜５０°の範囲となっていることを特徴とする請求項１記載のケーブルハンガ。
【請求項３】
前記吊線支持部は、内部の支持空間につながる通路幅の狭いくびれ部を有していることを特徴とする請求項１記載のケーブルハンガ。
【請求項４】
前記ストッパ部は、折曲げ部を有し、その折曲げ部から自由端部まではケーブル保持部の上向き自由端に形成された先端位置より下位に配置されていることを特徴とする請求項１記載のケーブルハンガ。
【請求項５】
ハンガ本体は、１本の連続する線材で作られていることを特徴とする請求項１乃至４記載のケーブルハンガ。
【発明の詳細な説明】
【技術分野】
【０００１】
本発明は、電柱に沿ってケーブル等を配線するのに適するケーブルハンガに関する。
【背景技術】
【０００２】
従来、電柱に沿って例えば光ファイバ等のケーブルを配線するのにスパイラルハンガ、あるいは、ケーブルハンガが使用される。
【０００３】
スパイラルハンガ及びケーブルハンガは、いずれも電柱間に掛け渡された吊線に支持された架設状態で使用される。
【０００４】
吊線によって支持されたスパイラルハンガ及びケーブルハンガの内部はトンネル状となり、その内部には光ファイバ等のケーブルが挿入配置されるようになっている。
【特許文献１】特公昭５２−４０３３号公報
【特許文献２】特開２００２−３６９３６１号公報
【発明の開示】
【発明が解決しようとする課題】
【０００５】
ケーブルハンガ及びスパイラルハンガの内、スパイラルハンガは、例えば、所定長さのスパイラルの形状に作られていて、電柱と電柱の間に掛け渡された吊線に架設するには、螺旋に形成されたスパイラルハンガの一端を吊線に差込み、そのまま一定方向に螺旋に沿って回転し続け、スパイラルハンガ内に吊線を取込むことで吊線に支持させる。続いて次のスパイラルハンガを前記動作によって吊線に支持させた後に各スパイラルハンガ同志を連結具で一体に結合する作業を電柱間の全領域にわたって繰返し行ない一本の連結するスパイラルハンガとして使用するため、ハンガ架設時の作業に多大な時間を必要とする。
【０００６】
また、吊線への架設完了後のスパイラルハンガは、軸心方向からみた時にトンネル状となるところから、光ファイバ等のケーブルを通すにはスパイラルハンガの一方の開口端から順々に挿入していき、その挿入作業を全領域にわたって行なうため、作業が大変面倒となり、吊線への架設作業時及び光ファイバ等のケーブルの配線作業時において作業性の面で望ましくない。
【０００７】
一方、ケーブルハンガは吊線に対して所定の間隔で使用する所から、取付け時の作業性の面では問題はないものの反面、架設完了後はスパイラルハンガと同様にトンネル形状となる。このため、光ファイバ等のケーブルの配線にあたって端から順々にケーブルを通していかなければならず作業性の面でいずれも不具合が残る。
【０００８】
そこで、本発明は、吊線に対して迅速・容易に架設できることは勿論として、強い風や吊線の揺れに対して取付け位置が動くことのない確実な取付け保持状態とケーブル等の配線作業時の作業性の向上が図れるようにしたケーブルハンガを提供することを目的としている。
【課題を解決するための手段】
【０００９】
前記目的を達成するために、本発明にあっては、上方が挿入開放口になると共に側方からみて上向きＵ字状に形成された一対のケーブル保持部と、Ｕ字状に形成された一方となるケーブル保持部の正面側は一体に連続し合う上向きの自由端に形成され、他方となる背面側は側方からみて正面側へ円弧状に屈曲された下向きＵ字状の一対の吊線支持部と、その吊線支持部からさらに延長され側方からみて前記挿入開放口を横切るよう下降傾斜し、ケーブルもしくは吊線が上方から下方へは前記挿入開放口への通過を可能とし、下方から上方へは前記挿入開放口の通過が阻止される自由端に形成された一対のストッパ部とを有し、前記吊線支持部は、下向きＵ字状に形成された支持部前側が正面からみた時に支持部後側と垂直軸線方向に沿って重なり合う位置から所定角度外側へ開いた形状となっていることを特徴とする。
【発明の効果】
【００１０】
本発明のケーブルハンガによれば、電柱と電柱の間に掛け渡された吊線に対して吊線支持部を係合させればよいので簡単、迅速に架設することができる。
【００１１】
この架設完了時の吊線支持部は所定角度開いた下向きＵ字状の形状によって強い捩ればね圧、即ち、吊線の軸線方向に対して支持部前側と支持部後側は喰い込み勝手の挟持作用が働くため、強い風や吊線が揺れてもケーブルハンガは動くことはなく確実な架設状態を得ることができる。
【００１２】
また、吊線に架設されたケーブルハンガに対しては、挿入開放口から光ファイバ等のケーブルを長手方向に沿った状態でハンガ内部へ迅速、容易に挿入できるため、ケーブル等の配線作業が迅速に完了し、作業性の向上を図ることができる。しかも、ストッパ部によって外へケーブル等が外れ出るのを確実に阻止できる。
【発明を実施するための最良の形態】
【００１３】
本発明にあっては、第１に、前記吊線支持部の支持部前面が支持部後側の垂直軸線に沿って重なり合う位置から所定角度外側へ開く角度を４０°〜５０°の範囲とし、吊線に対する架設時の作業に大きな支障が起きない角度になっていることと、架設完了後は吊線に対して挙動の起きない確実な架設状態が得られる角度となっている。
【００１４】
第２に、前記吊線支持部に、内部の支持空間につながる通路幅の狭いくびれ部を設け、そのくびれ部によって吊線支持部から吊線が外へ抜け出るのを阻止する。
【００１５】
第３に、前記ストッパ部に折曲げ部を設け、その折曲げ部から自由端部までを、ケーブル保持部の上向きの自由端に形成された先端位置より下位に配置し、配線作業時にケーブル等をそのストッパ部の上に落下させた時に上向きの自由端が壁となって外へ外れ出るのを阻止する。
【００１６】
第４に、ハンガ本体を一本の連続する線材で作り、強度剛性に優れるようにする。
【実施例】
【００１７】
以下、図１乃至図５の図面を参照しながら本発明の実施形態について具体的に説明する。
【００１８】
図１は使用状態を示すケーブルハンガの概要正面図、図２はケーブルハンガの概要側面図、図３はケーブルハンガの概要斜視図をそれぞれ示している。
【００１９】
なお、ここで正面とは図１に示す状態をさす。側面とは図１を図面右側から軸線方向に沿ってみた図２に示す状態（右側面）をさす。平面とは図１を図面上からみた図３に示す状態をさし、以下同様である。
【００２０】
ケーブルハンガ１は、左右対称に屈曲成形された光ファイバ等のケーブル３が支持される一対のケーブル保持部５，５と、吊線７に取付けるための一対の吊線支持部９，９と、ケーブル保持部５によって支持された光ファイバ等のケーブル３が外へ飛び出すのを阻止する一対のストッパ部１１，１１とから成り、これらは連続した一本のハンガ線材によって成形されている。ハンガ線材としては硬鋼線が最適である。
【００２１】
ケーブル保持部５は、側方（図２）からみて上向きＵ字状に形成され上方が挿入開放口１３となっている。Ｕ字状に形成された一方となるケーブル保持部５の前面側（図２左側）は一体に連続し合う上向きの自由端５ａとなっている。他方となる背面側（図２右側）の上端部は前記した吊線支持部９と連続している。
【００２２】
吊線支持部９は、側方からみて前面側（図２左側）へ向かって円弧状に屈曲された下向きＵ字状の形状で内部支持空間ｆへつながる通路幅の狭いくびれ部９ｃを作る一方、ストッパ部１１と連続する吊線支持部９の支持部前側９ａは、正面からみた時に支持部後側９ｂと垂直軸線ａ方向に沿って重なり合う位置から所定角度θ、外側へ開いた形状となっている。
【００２３】
この角度θは、強い捩ればね圧を発生させ吊線支持部９の支持部前側９ａと支持部後側９ｂが吊線７の軸線方向に沿って喰い込み勝手の挟持作用が働くようにするためのものである。
【００２４】
吊線支持部９の挟持力は、吊線支持部９を構成する線材の径、材質、角度θなどによって決定されるが、特に、角度θが重要な要素となる。この角度θは吊線７にケーブルハンガ１を架設する前の状態において４０°〜５０°の範囲が最適となっている。この４０°〜５０°の角度は、架設時の作業性及び架設完了後の確実な挟持圧等を考慮して設定されたもので、実験でも良好な結果が得られた。
【００２５】
ここで、角度θによって挟持圧が得られる動作図を図４と図５に基づいて説明する。
【００２６】
即ち、外側へ開いた角度θにある一方（図面左側）の吊線支持部９を図４に示すように吊線７に対してくびれ部９ｃを介して係合させると、その吊線支持部９の中心軸線Ｙは吊線７の中心軸線Ｘに対して直交し合う状態で吊線７に支持される。この時、他方（図面右側）の吊線支持部９はα分偏位した位置におかれるから、その偏位した位置にある吊線支持部９を吊線７へ向けて戻ろうとするばねエネルギーに抗して重なり合うように強制的に矢印のように回動し、くびれ部９ｃを介して吊線７に係合させる（図５）。この係合完了時、左右の各吊線支持部９，９は、角度θによって強く捻られながら強制的に吊線７と係合し合う結果、左側の吊線支持部９には平面からみた時に時計方向の捩ればね圧が発生する。右側の吊線支持部９には平面からみた時に反時計方向の捩ればね圧が発生し、各ばね圧によって各支持部前側９ａと支持部後側９ｂは吊線７の軸線方向に対して強い喰い込み勝手の挟持作用（矢印Ｐ，Ｐ１）が働くようになる。
【００２７】
一方、ストッパ部１１は、前記吊線支持部９からさらに延長され側方（図２）からみて前記挿入開放口１３を横切るよう下降傾斜し、上方から下方へ（図２仮想線矢印）は前記挿入開放口１３への通過を可能とし、下方から上方へ（図２実線矢印）は前記挿入開放口１３への通過が阻止される自由端に形成された形状となっている。
【００２８】
ストッパ部１１は、その先端となる自由端部１１ａが正面からみた時に折曲げ部１１ｂを起点として左右反対向きに末広がりに開拡しケーブル保持部５の自由端５ａに向かう立上り領域を側面からみて横切るように交差した自由端となっている。
【００２９】
ストッパ部１１の折曲げ部１１ｂは、図２に示すように折曲げ部１１ｂから自由端部１１ａまでの領域Ｌを、ケーブル支持部５の上向きの自由端５ａに形成された先端位置より下位に配置してある。これにより、配線作業時にケーブル３等をそのストッパ部１１の上に落下させた時に、上向きの自由端５ａが壁となって外へ外れ出るのを阻止し、すみやかに内部へ取込めるようになっている。
【００３０】
また、折曲げ部１１ｂは、ケーブル保持部５の支持空間ｆ−１から前記吊線支持部９の内部空間ｆへ向かって通路幅ｄを順次狭くし、くびれ部９ｃで通路幅が最小となるよう設定する手段となっている。
【００３１】
したがって、ケーブルハンガ１の架設作業時に、吊線７に対して吊線支持部９の誘導案内がし易くなると共に、架設完了後はくびれ部９ｃによって内部支持空間ｆから外へ外れ出る動きが阻止されるようになっている。
【００３２】
このように、一本の線材によって作られた強度剛性の高いケーブルハンガ１を吊線７に架設するには、図３に示すように挿入開放口１３へ向けて上から落し入れると、ストッパ部１１に接触する。
【００３３】
ここで、さらに落とし込み力を加えると、ストッパ部１１は下方へ曲がり変形し、吊線７やケーブル３等は、挿入開口１３の内側となる支持空間ｆ−１内に取込まれる。
【００３４】
これら線材の通過後は、ストッパ部１１は自身のバネ力によって上方へ復帰して、挿入開口部１３は閉塞する。
【００３５】
そしていったん収納された吊線７やケーブル３等が、下方から上方への移動するには、ストッパ部１１が引っかかり、その通過が阻止されるようになるので、ケーブルハンガ１から抜け出すことが無くなる。
【００３６】
一方、ケーブル保持部５内に吊線７を取込んだ状態においてケーブルハンガ１を図３、矢印イのように下方へ強く引き下げることで、左右の吊線支持部９，９は吊線７に対して強制的に係合し合い、迅速、容易に取付けが完了する。この取付け完了時、各吊線支持部９，９には、角度θによって吊線７に対して喰い込み勝手の挟持作用Ｐ，Ｐ１が働き、確実な挟持状態が確保される。したがって、吊線支持部９のくびれ部９ｃと相俟って強い風や吊線７が揺れても取付け位置が動くことはなく長期間にわたって安定した確実な架設状態が得られる。
【００３７】
次に、吊線７に架設されたケーブルハンガ１に対して図１、図２に示すように光ファイバ等のケーブル３を長手方向として挿入開放口１３に沿って上から落し入れることで、迅速、容易にケーブル３の配線作業が完了するようになる。しかも、ストッパ部１１によって外へ外れ出ることもない。
【００３８】
なお、左右対称に作られたケーブルハンガ１は、一本の連続する線材で作られているが、作り方としては左右対称にそれぞれ独立して作り、それを中央部位で一体に結合するケーブルハンガとしてもよい。
【図面の簡単な説明】
【００３９】
【図１】この発明にかかるケーブルハンガの使用状態を示した一箇所の概要正面図。
【図２】ケーブルハンガの概要側面図。
【図３】ケーブルハンガの概要斜視図。
【図４】ケーブルハンガの片側の吊線支持部を吊線に取付けた状態の動作説明図。
【図５】ケーブルハンガの両吊線支持部を吊線に取付けた状態の動作説明図。
【符号の説明】
【００４０】
１    ケーブルハンガ
３    ケーブル
５    ケーブル保持部
７    吊線
９    吊線支持部
９ａ    支持部前側
９ｂ    支持部後側
１１    ストッパ部
１３    挿入開放口
ａ    垂直軸線
θ    外側へ開いた角度
【図１】
2006333613.tif 000003
【図２】
2006333613.tif 000004
【図３】
2006333613.tif 000005
【図４】
2006333613.tif 000006
【図５】
2006333613.tif 000007